(57)【要約】      （修正有）【課題】回路基板を大型化することなく、電解コンデンサの寿命末期時に電解液の蒸発ガスがケース体の外部に噴出することを抑制可能な電気機器および照明装置を提供する。【解決手段】電気機器１は、内部圧力が所定値以上になったときに電解液の蒸発ガスを噴出する圧力弁が設けられた電解コンデンサ６および２個以上の発熱部品７，８を有する回路部品５が一面２ａに実装され、電解コンデンサ６が発熱部品７，８間に配置されている回路基板２と、回路基板２を収納している金属製のケース体３と、ケース体３と発熱部品７，８との間に少なくとも発熱部品７，８に接触するように設けられ、回路基板２の一面２ａ側、発熱部品７，８およびケース体３との間で略密閉された空間９を形成している耐熱性および伝熱性を有する樹脂４とを具備している。【選択図】図２
2010153355.tif 000002
【特許請求の範囲】
【請求項１】
電解液を含む素子本体およびこの素子本体を密封状態に収納するとともに内部圧力が所定値以上になったときに電解液の蒸発ガスを噴出する圧力弁が設けられたケースを備えた電解コンデンサと、２個以上の発熱部品とを有する回路部品が一面に実装され、前記電解コンデンサが前記発熱部品間に配置されている回路基板と；  この回路基板を収納している金属製のケース体と；  このケース体と前記発熱部品との間に少なくとも前記発熱部品に接触するように設けられ、前記回路基板の一面側、前記発熱部品および前記ケース体との間で略密閉された空間を形成している耐熱性および伝熱性を有する樹脂と；を具備していることを特徴とする電気機器。
【請求項２】
前記略密閉された空間は、前記電解コンデンサの容積の３倍以上の容積を有することを特徴とする請求項１記載の電気機器。
【請求項３】
前記ケース体内には、前記回路基板の長手方向に亘って前記回路基板、前記回路基板に実装された前記回路部品および前記樹脂を覆う絶縁シートが設けられ、当該絶縁シートには、前記樹脂が設けられた部位に孔が設けられていて、この孔を介して前記樹脂が前記ケース体に接触していることを特徴とする請求項１または２記載の電気機器。
【請求項４】
請求項１ないし３いずれか一記載の電気機器と；  この電気機器により点灯する照明用ランプと；  この照明用ランプを配設している器具本体と；を具備していることを特徴とする照明装置。
【発明の詳細な説明】
【技術分野】
【０００１】
本発明は、電解コンデンサを用いた電気機器およびこの電気機器により照明用ランプが付勢される照明装置に関する。
【背景技術】
【０００２】
電解コンデンサは、その容量が大きく、例えば整流装置により交流電圧が整流された後にその整流電圧を平滑して、直流電源として機能するものがある。すなわち、電解コンデンサは、例えば陽極箔と陰極箔からなる一対の電極間に電解紙を挟み巻回した素子本体に電解液を含浸させ、この含浸済みの素子本体に封口ゴムを取付け、有底筒状のケース内に入れて封止されている。  
【０００３】
そして、電解コンデンサは、経年変化に伴って、電解液が蒸発して減少し、寿命末期には、電解液の減少による容量低下に加えて電解液の等価直列抵抗（ＥＳＲ）が上昇し、温度上昇する。やがて、リップル電流により発熱が大きくなり、熱暴走を引き起こして急激に温度上昇し、電解液の沸点を超えて電解液の蒸発ガスの圧力でケースが破裂するおそれがある。このため、ケースの一部に圧力弁が設けられたものがあり、電解液の蒸発ガスでケース内の圧力が所定値以上に達したときに、圧力弁が作動し、電解液の蒸発ガスを外部に噴出させ、ケースが破裂するのを防止している。  
【０００４】
この圧力弁を有する電解コンデンサを用いた防水構造の電子機器装置が提案されている（例えば特許文献１参照。）。この従来技術の電子機器装置は、電解コンデンサがプリント基板の端部に設けられ、電解コンデンサの圧力弁を充填材が充填される開口に向けて作動するように配置しているものである。そして、蓋の中央に設けられた孔にパッキンが取り付けられ、このパッキンの中央に設けられた空洞は、配線を通すと共にガスが抜ける程度の隙間を備えた大きさの円筒状となっているものである。  
【０００５】
そして、充填材が充填される最も適した位置は、電解コンデンサの圧力弁が破裂（作動）したときに充填材を突き破る程度の圧力又は電解コンデンサの蒸発ガスが抜けることができる程度の充填材の厚さを確保できる位置であって、電解コンデンサと蓋との間に電解コンデンサの内容物又は充填材の飛散が緩和できる空間を確保することができる位置であることが望ましいというものである。
【先行技術文献】
【特許文献】
【０００６】
【特許文献１】特開２００８−１６６３３１号公報（第５−６頁、第３−４図）
【発明の概要】
【発明が解決しようとする課題】
【０００７】
特許文献１の電子機器装置は、電解コンデンサがプリント基板の端部に設けられているとともに、その圧力弁を充填材が充填される開口に向けて作動するように配置しているので、電解コンデンサの圧力弁が破裂したときに、噴出した電解液の蒸発ガスが電解コンデンサと蓋との間の空間を通ってパッキンの空洞から外部に噴出しやすい。これにより、外部に噴出した蒸発ガスが煙に見えることがあり、人が電子機器装置の焼損による発煙と誤認して、火災と判断してしまうという欠点を有する。  
【０００８】
また、電解コンデンサがプリント基板の端部に設けられるので、プリント基板での回路部品の実装自由度が制限され、これにより、回路基板が大型化するおそれがある。  
【０００９】
本発明は、回路基板を大型化することなく、電解コンデンサの寿命末期時に電解液の蒸発ガスがケース体の外部に噴出することを抑制可能な電気機器およびこの電気機器を具備する照明装置を提供することを目的とする。
【課題を解決するための手段】
【００１０】
請求項１に記載の電気機器の発明は、電解液を含む素子本体およびこの素子本体を密封状態に収納するとともに内部圧力が所定値以上になったときに電解液の蒸発ガスを噴出する圧力弁が設けられたケースを備えた電解コンデンサと、２個以上の発熱部品とを有する回路部品が一面に実装され、前記電解コンデンサが前記発熱部品間に配置されている回路基板と；この回路基板を収納している金属製のケース体と；このケース体と前記発熱部品との間に少なくとも前記発熱部品に接触するように設けられ、前記回路基板の一面側、前記発熱部品および前記ケース体との間で略密閉された空間を形成している耐熱性および伝熱性を有する樹脂と；を具備していることを特徴とする。  
【００１１】
本発明および以下の各発明において、特に言及しない限り、各構成は以下による。  
【００１２】
電気機器は、例えば、照明用ランプを点灯する点灯装置やモータを駆動する駆動装置など、その用途が限定されない。  
【００１３】
「発熱部品」とは、回路部品のうち、比較的発熱量の大きい部品であって、放熱手段の付与や他の部品と離間させるなどして他の部品に対する熱影響の対策が必要な部品であり、例えばインダクタ、トランス、スイッチング素子や抵抗素子などである。  
【００１４】
回路基板は、その一面の反対側の他面に、発熱部品または他の回路部品が実装されていてもよい。  
【００１５】
「略密閉された空間」とは、電解コンデンサの電解液の蒸発ガスが徐々に漏出する程度の間隙を有することを許容するものである。  
【００１６】
樹脂は、耐熱性および伝熱性の他に電気絶縁性を有する樹脂であり、例えばウレタン樹脂やシリコーン樹脂などである。  
【００１７】
また、樹脂は、発熱部品が実装されている回路基板の一面側に加えて、その反対側の他面の部位とケース体との間に設けられていてもよい。また、樹脂は、さらに回路基板の他面に実装された発熱部品とケース体との間に設けられてもよい。  
【００１８】
本発明によれば、回路基板の回路部品が動作すると、発熱部品が発熱し、その熱は、樹脂に伝熱された後、樹脂から金属製のケース体に伝熱されて外部に放熱される。これにより、発熱部品は、その温度上昇が抑制されて、短寿命化が防止される。  
【００１９】
そして、電解コンデンサが寿命末期となって電解コンデンサの圧力弁が破壊すると、電解液の蒸発ガスが略密閉された空間に噴出する。蒸発ガスは、略密閉された空間から漏れにくく、略密閉された空間内に停留する。これにより、蒸発ガスがケース体の外部に急激に漏出することが抑制される。  
【００２０】
そして、略密閉された空間内に停留している蒸発ガスは、回路基板、回路部品やケース体などに衝突や接触して冷却され、結露してやがて消滅する。  
【００２１】
請求項２に記載の電気機器の発明は、請求項１記載の電気機器の発明において、前記略密閉された空間は、前記電解コンデンサの容積の３倍以上の容積を有することを特徴とする。  
【００２２】
電解コンデンサの容積とは、電解コンデンサの外形で形成される仮想体積を意味し、略密閉された空間の容積は、当該空間内の電解コンデンサや他の回路部品による占有空間を除く空間の体積を意味する。  
【００２３】
略密閉された空間が電解コンデンサの容積の３倍以上の容積を有すると、電解コンデンサから電解液の蒸発ガスが噴出したときに、蒸発ガスの停留する空間が電解コンデンサの容積を含めると電解コンデンサの容積の４倍以上となり、蒸発ガスの圧力が所定値の１／４以下になる。蒸発ガスの圧力が所定値の１／４以下になれば、蒸発ガスは、略密閉された空間から外部により漏れにくくなる。  
【００２４】
本発明によれば、略密閉された空間の容積は、電解コンデンサの容積の３倍以上であることにより、電解コンデンサから噴出した蒸発ガスを略密閉された空間内に停留させる大きな空間が確保され、蒸発ガスが略密閉された空間に停留しやすく、略密閉された空間から外部により漏れにくくなる。  
【００２５】
請求項３に記載の電気機器の発明は、請求項１または２記載の電気機器の発明において、前記ケース体内には、前記回路基板の長手方向に亘って前記回路基板、前記回路基板に実装された前記回路部品および前記樹脂を覆う絶縁シートが設けられ、当該絶縁シートには、前記樹脂が設けられた部位に孔が設けられていて、この孔を介して前記樹脂が前記ケース体に接触していることを特徴とする。  
【００２６】
回路基板の長手方向とは、中間に電解コンデンサが配置されている２個の発熱部品を結ぶ方向を意味する。  
【００２７】
孔の大きさが極めて小さいと、樹脂が孔から漏出しないことがある。したがって、孔は、樹脂が漏出可能な適宜の大きさに形成される。また、孔の形状は、特に問わない。  
【００２８】
また、孔は、樹脂が回路基板の一面の反対側の他面にも設けられているときには、当該樹脂が設けられた部位にも設けて、当該樹脂とケース体とを接触させてもよい。  
【００２９】
そして、孔は、樹脂の部位に設けられているので、略密閉された空間に停留する電解コンデンサの電解液の蒸発ガスを漏出させにくい。  
【００３０】
本発明によれば、回路基板および回路基板に実装された回路部品と金属製のケース体との間に絶縁シートが介在するので、回路基板および回路部品とケース体との電気絶縁性が向上するとともに、発熱部品の熱が樹脂を介して直接的に金属製のケース体に伝熱されるので、発熱部品の熱が迅速に放熱されて、発熱部品の温度上昇が抑制される。  
【００３１】
請求項４に記載の照明装置の発明は、請求項１ないし３いずれか一記載の電気機器と；この電気機器により点灯する照明用ランプと；この照明用ランプを配設している器具本体と；を具備していることを特徴とする。  
【００３２】
照明用ランプは、蛍光ランプ、高輝度放電ランプや発光ダイオード等のいずれも適用可能である。  
【００３３】
電気機器は、器具本体と別置であってもよく、器具本体に収納または器具本体の外面側に配設されてもよい。  
【００３４】
本発明によれば、請求項１ないし３いずれか一記載の電気機器を具備するので、電解コンデンサが寿命末期となって電解液の蒸発ガスが噴出したときに、当該蒸発ガスが器具本体から漏出しにくい照明装置が提供される。
【発明の効果】
【００３５】
請求項１の発明によれば、電解コンデンサが寿命末期となって電解液の蒸発ガスが噴出しても、略密閉された空間が蒸発ガスのケース体の外部への急激な漏出を抑制するので、人が漏出した蒸発ガスを発煙と誤認することを防止できて、消防車の出動などの人的トラブルを防止することができるとともに、略密閉された空間が樹脂を用いて回路基板の一面側、発熱部品およびケース体との間で形成されるので、回路基板を大型化することなく、既存の回路基板で密閉された空間を形成することができる。  
【００３６】
請求項２の発明によれば、略密閉された空間が電解コンデンサの容積の３倍以上の容積を有することにより、蒸発ガスを停留させやすい大きな略密閉された空間が確保されて、蒸発ガスが略密閉された空間からより漏れにくくなるので、蒸発ガスがケース体の外部へ急激に漏出することをより抑制することができ、人が漏出した蒸発ガスを発煙と誤認することをより防止することができる。  
【００３７】
請求項３の発明によれば、絶縁シートが回路基板および回路部品と金属製のケース体との間を電気絶縁するので、回路基板および回路部品とケース体との絶縁距離を小さくすることができ、これにより、回路基板の大型化を防止して電気機器を小型化することができるとともに、絶縁シートに設けられた孔から漏出する樹脂が発熱部品の熱を迅速に金属製のケース体に伝熱するので、発熱部品の温度上昇を抑制することができて、発熱部品の短寿命化を防止することができ、これにより、電気機器の品質および信頼性を向上させることができる。  
【００３８】
請求項４の発明によれば、電気機器の電解コンデンサが寿命末期となって電解液の蒸発ガスが噴出しても、当該蒸発ガスが器具本体から漏出しにくいので、人が蒸発ガスを発煙と誤認することを防止可能な照明装置を提供することができる。
【図面の簡単な説明】
【００３９】
【図１】本発明の実施例１を示す電気機器であり、（ａ）は概略上面図、（ｂ）は概略側面図。
【図２】同じく、電気機器の一部切り欠き概略側面図。
【図３】同じく、電気機器の概略縦断面図。
【図４】同じく、電解コンデンサの概略縦断面図。
【図５】同じく、回路基板における概略回路図。
【図６】本発明の実施例２を示す電気機器の概略縦断面図。
【図７】本発明の実施例３を示す照明装置の概略斜視図。
【発明を実施するための形態】
【００４０】
以下、本発明の一実施の形態について説明する。  
【００４１】
本発明において、回路基板は、その一面において、電解コンデンサを２個の発熱部品間に配置している。そして、回路基板を収納する金属製のケース体と発熱部品との間に少なくとも発熱部品に接触するように耐熱性および伝熱性を有する樹脂が設けられ、回路基板の一面側、２個の発熱部品、ケース体および樹脂により略密閉された空間を形成している。そして、略密閉された空間に、電解コンデンサから噴出した電解液の蒸発ガスを停留させる。
【実施例１】
【００４２】
図１ないし図５は、本発明の実施例１を示し、図１は電気機器であり、（ａ）は概略上面図、（ｂ）は概略側面図、図２は電気機器の一部切り欠き概略側面図、図３は電気機器の概略縦断面図、図４は電解コンデンサの概略縦断面図、図５は回路基板における概略回路図である。  
【００４３】
図２において、電気機器１は、例えば２灯の蛍光ランプを点灯させる点灯装置であり、回路基板２、ケース体３および樹脂としてのウレタン樹脂４を有して構成されている。回路基板２は、回路部品としての点灯回路部品５を実装し、電解コンデンサ６を発熱部品７，８の中間に配置し、ケース体３に収納されている。発熱部品７，８にウレタン樹脂４が塗布されており、回路基板２、発熱部品７，８、ケース体３およびウレタン樹脂４により、略密閉された空間９が形成されている。  
【００４４】
電気機器１は、電解コンデンサ６が寿命末期となって電解液の蒸発ガスが噴出したときに、その蒸発ガスが略密閉された空間９内に停留し、略密閉された空間９からケース体３内に、さらにケース体３の内部からケース体３の外部に漏出しにくくなるように構成されたものである。  
【００４５】
回路基板２は、例えばガラスエポキシ材や紙フェノール材などにより長手方向が大きい長方形に形成され、一面（表面）２ａに点灯回路部品５を実装している。この点灯回路部品５により、蛍光ランプを点灯する点灯回路１０が形成されている。この点灯回路１０の一例を図５に示す。  
【００４６】
図５に示す点灯回路１０は、直流電源回路１１、チョッパ回路１２、インバータ回路１３および共振回路１４を有して構成されている。直流電源回路１１は、整流器１７の出力端子間にコンデンサＣ１が接続され、整流器１７の入力端子間がノイズ防止用のトランス１８を介して商用交流電源Ｖｓに接続されている。整流器１７の低電位側出力端子は、バイパス用コンデンサＣ２を介してアースＥに接続されている。  
【００４７】
チョッパ回路１２は、コンデンサＣ１の両端間に直列的に接続されたインダクタ７および電界効果トランジスタＱ１、電界効果トランジスタＱ１の両端間に接続されたダイオードＤ１および電解コンデンサ６を有して構成されている。電界効果トランジスタＱ１は、チョッパ回路用制御回路１９により制御され、これにより、電解コンデンサ６の両端間に所定の電圧が発生する。  
【００４８】
インバータ回路１３は、ハーフブリッジ形に構成され、電界効果トランジスタＱ２，Ｑ３のそれぞれのゲートが駆動回路２０に接続されている。駆動回路２０は、インバータ回路用制御回路２１に接続されている。インバータ回路用制御回路２１は、駆動回路２０を制御して電界効果トランジスタＱ２，Ｑ３を交互にオンオフし、電解コンデンサ６の両端間電圧を高周波交流電圧に変換し、電界効果トランジスタＱ３のドレイン、ソース間に出力させる。  
【００４９】
共振回路１４は、直列的に接続された直流カット用コンデンサＣ３、インダクタ８および共振用コンデンサＣ４を有して構成され、蛍光ランプ１５の一方のフィラメント電極１５ａおよび蛍光ランプ１６の他方のフィラメント電極１６ｂを介して電界効果トランジスタＱ３のドレイン、ソース間に接続されている。蛍光ランプ１５の他方のフィラメント電極１５ｂの一端側および蛍光ランプ１６の一方のフィラメント電極１６ａの一端側は、共通に接続され、フィラメント電極１５ｂの他端側およびフィラメント電極１６ｂの他端側は、インダクタ８の補助巻線８ａの両端間に接続されている。共振回路１４は、電界効果トランジスタＱ３のドレイン、ソース間に出力する高周波交流電圧に応じて共振し、蛍光ランプ１５，１６を高周波点灯させる。  
【００５０】
そして、点灯回路１０は、チョッパ回路用制御回路１９およびインバータ回路用制御回路２１がそれぞれ制御動作し、蛍光ランプ１５，１６を高周波点灯させると、直流電源回路１１のトランス１８、チョッパ回路１２のインダクタ７および電界効果トランジスタＱ１、インバータ回路１３の電界効果トランジスタＱ２，Ｑ３および共振回路１４のインダクタ８などが大きく発熱する。そして、それらの発熱量は、他の点灯回路部品５よりも比較的大きいものである。すなわち、少なくともトランス１８、電界効果トランジスタＱ１〜Ｑ３、インダクタ７およびインダクタ８は、発熱部品となっている。このように、点灯回路１０は、２個以上の発熱部品を有している。  
【００５１】
図２において、回路基板２は、図５に示した点灯回路部品５の他に、抵抗Ｒ１，Ｒ２やダイオードＤ２など、多くの点灯回路部品５を実装している。そして、一面（表面）２ａであって長手方向において、電解コンデンサ６が発熱部品であるインダクタ７およびインダクタ８の中間に介在するように、電解コンデンサ６、インダクタ７およびインダクタ８を配置している。ここで、中間とは、インダクタ７およびインダクタ８を結ぶ中間点の位置ではなく、インダクタ７およびインダクタ８の間の位置であればよい。しかし、電解トランジスタ６は、インダクタ７およびインダクタ８を結ぶ中間点の位置またはその近傍の位置に配置（実装）されていることが好ましい。  
【００５２】
電解コンデンサ６は、図４に示すように、素子本体２２およびケース２３を備えている。素子本体２２は、図示しない陽極箔と陰極箔からなる一対の電極間に電解紙を挟み巻回し、例えばエチレングリコール系の電解液を含浸させた電解コンデンサ素子２２ａが収納されている。  
【００５３】
ケース２３は、アルミニウム（Ａｌ）からなり、開口部２３ａを有する有底円筒状に形成され、素子本体２２を収納している。そして、開口部２３ａには封口ゴム２４が挿入されており、この封口ゴム２４に開口部２３ａをかしめることにより、ケース２３は、封止されて密封されている。すなわち、ケース２３は、素子本体２２を密封状態に収納している。  
【００５４】
一方、開口部２３ａとは反対側の端面には、ケース２３の内部圧力が所定値以上になったときに、ケース２３の一部が破れて電解液の蒸発ガスを外部に噴出して逃がす圧力弁２５が設けられている。圧力弁２５は、ケース２３の内部圧力が所定値以上になったときに破れるように、ケース２３にＸ字形やＹ字形などの薄肉部を形成して構成されている。  
【００５５】
そして、ケース２３は、円筒状の絶縁性スリーブ２６によって外周表面が覆われている。絶縁性スリーブ２６は、定格電圧、静電容量、極性等が印刷されたＰＥＴ樹脂や塩化ビニル樹脂からなる熱収縮性のスリーブであり、ケース２３に被せた後、熱を加え、その収縮によってケース２３の外周表面を被覆している。  
【００５６】
また、ケース２３の開口部２３ａ側には、封口ゴム２４を貫通したアルミリベット２７，２７が設けられている。アルミリベット２７，２７には、封口ゴム２４の内側において、素子本体２２の陽極箔と陰極箔に接続されたアルミリード２８，２８が接続され、封口ゴム２４の外側において、ケース２３の外部に導出されたリード線２９，２９が接続されている。また、アルミリベット２７，２７は、アルミタブ３０，３０を介して素子本体２２を支持、固定している。  
【００５７】
図２において、ケース体３は、ベースケース３１およびカバーケース３２からなり、ベース側およびカバー側の絶縁シート３３，３４を配設し、回路基板２を収納している。  
【００５８】
ベースケース３１は、例えばアルミニウム合金製であり、図１（ｂ）に示すように、幅方向の両側がほぼ直角に折り曲げられた側壁部３１ａ，３１ａを有する断面コ字状をなしている。カバーケース３２は、同様に、例えばアルミニウム合金製であり、幅方向の両側が傾斜部３２ａ，３２ａを形成して折り曲げられた側壁部３２ｂ，３２ｂを有し、また、長手方向の両端がほぼ直角に折り曲げられた端壁部３２ｃ，３２ｃを有している。  
【００５９】
ベースケース３１の側壁部３１ａ，３１ａのそれぞれの長手方向の両端部３１ａａ，３１ａｂおよび中央部３１ａｃには、側壁部３１ａ，３１ａの凹みにより形成されたベースケース３１の内側に突出する凸部３５が設けられている。ベースケース３１の内側において、当該凸部３５に回路基板２が載置されている。また、側壁部３１ａ，３１ａの両端部３１ａａ，３１ａｂおよび中央部３１ａｃには、図示しない開口が形成されている。  
【００６０】
また、カバーケース３２の側壁部３２ｂ，３２ｂのそれぞれの長手方向の両端部３２ｂａ，３２ｂｂおよび中央部３２ｂｃには、切り欠きにより爪部３６および爪部３７が形成されている。  
【００６１】
そして、ベースケース３１およびカバーケース３２は、カバーケース３２の側壁３２ｂ，３２ｂがその弾性力により、ベースケース３１の側壁３１ａ，３１ａの外面に密接するように重ねられて組み合わされている。そして、ベースケース３１の図示しない開口において、カバーケース３２の爪部３６がカバーケース３２の内側に折り曲げられて前記開口に係止されている。これにより、ベースケース３１およびカバーケース３２が連結されている。  
【００６２】
また、ベースケース３１の図示しない開口において、カバーケース３２の爪部３７がカバーケース３２の内側に折り曲げられ、絶縁シート３３，３４を介して、回路基板２の一面（表面）２ａ側を押えている。回路基板２は、ベースケース３１の凸部３５およびカバーケース３２の爪部３７により、その長手方向と直交する方向が支持されている。回路基板２の長手方向に対する支持は、ベースケース３１の底面部３１ｂに設けた図示しない支持片によってなされている。  
【００６３】
そして、ベースケース３１の底面部３１ｂには、図１（ａ）に示すように、ケース体３（電気機器１）を器具本体などに取り付けるためのだるま孔３８，３８が形成されている。カバーケース３２の端壁部３２ｃ，３２ｃの外方側には、回路基板２の入力用端子台３９および出力用端子台４０が露出している。  
【００６４】
ベース側およびカバー側の絶縁シート３３，３４は、ポリエステルフィルム等の電気絶縁材で形成されている。その厚さは、例えば０．１〜０．３ｍｍである。そして、図３に示すように、ベース側の絶縁シート３３は、ベースケース３１の内面に沿って配設され、カバー側の絶縁シート３４は、カバーケース３２の内面に沿って配設されて、点灯回路部品５が実装された回路基板２を覆っている。  
【００６５】
上述したように形成されたケース体３は、通常、空気の対流を促進して点灯回路部品５の温度上昇を抑制するため、ベースケース３１とカバーケース３２の連結部等の隙間や放熱孔等の通気口の存在が許容されている。  
【００６６】
そして、ウレタン樹脂４は、ベース側およびカバー側の絶縁シート３３，３４を介してケース体３と発熱部品であるインダクタ７およびインダクタ８との間に設けられている。  
【００６７】
また、ウレタン樹脂４は、電気絶縁性を有するとともに、高耐熱性および高伝熱性を有するものであり、インダクタ７およびインダクタ８に接触するように塗布されているとともに、図３に示すように、回路基板２の一面（表面）２ａとケース体３の内面との間をほぼ埋めるように塗布されている。これにより、図２に示すように、回路基板２の一面（表面）２ａ側、インダクタ７、インダクタ８、ウレタン樹脂４およびケース体３により、略密閉された空間９が形成されている。  
【００６８】
そして、略密閉された空間９は、その容積が電解コンデンサ６の容積すなわち電解コンデンサ６の占有空間の３倍以上となるように、インダクタ
７およびインダクタ８が電解コンデンサ６から離間して配置されるとともに、略密閉された空間９に配置される点灯回路部品５が選定されている。  
【００６９】
次に、本発明の実施例１の作用について述べる。  
【００７０】
電気機器１の入力用端子台３９に商用交流電源Ｖｓが投入されると、点灯回路１０のチョッパ回路用制御回路１９およびインバータ回路用制御回路２１が動作し、直流電源回路１１を通じてチョッパ回路１２の電解コンデンサ６が充電されて、電解コンデンサ６に所定の直流電圧が発生する。この直流電圧は、インバータ回路１３により高周波交流電圧に変換された後、共振回路１４により共振電圧に変換されて蛍光ランプ１５，１６に印加され、これにより、蛍光ランプ１５，１６が点灯する。  
【００７１】
そして、発熱部品であるインダクタ７，８は、伝熱性を有するウレタン樹脂４に接触しているので、インダクタ７，８に発生した熱は、ウレタン樹脂４を介してケース体３側に迅速に伝熱され、絶縁シート３３，３４を介してケース体３からケース体３の外部に放出される。これにより、インダクタ７，８の温度上昇を抑制することができて、インダクタ７，８の短寿命化を防止することができる。また、ケース体３の内部に熱がこもりにくくなるので、蛍光ランプ１５，１６が点灯している通常時、ケース体３全体の温度上昇も低減することができる。  
【００７２】
そして、電解コンデンサ６に過電圧が加わった場合や電解コンデンサ６が寿命末期となった場合において、電解液の蒸発ガスでケース２３内の圧力が所定値以上に達したときに、ケース２３が破裂するのを防止するためにＸ字形やＹ字形などの薄肉部が破れて圧力弁２５が作動（破壊）し、電解液の蒸発ガスが煙状となって略密閉された空間９に噴出する。噴出した蒸発ガスは、回路基板２、インダクタ７，８、ウレタン樹脂４および絶縁シート３３，３４により塞き止められて略密閉された空間９に停留する。  
【００７３】
蒸発ガスは、略密閉された空間９での圧力によって、絶縁シート３３，３４間の隙間、絶縁シート３３，３４とケース体３との隙間、回路基板２とインダクタ７，８との隙間、ウレタン樹脂４と絶縁シート３３，３４との隙間などからケース体３の内部に漏出する。しかし、それらの隙間は非常に小さいので、略密閉された空間９からケース体３内に漏出する蒸発ガスの漏出量は、非常に少ないものである。  
【００７４】
また、略密閉された空間９の容積は、電解コンデンサ６の容積の３倍以上であるので、略密閉された空間９は、電解コンデンサ６から噴出する蒸発ガスを停留させる大きな空間となっている。これにより、蒸発ガスは、その圧力で前記隙間からケース体３の内部に漏出しにくく、その漏出量がさらに少なくなるものである。  
【００７５】
略密閉された空間９からケース体３の内部に漏出した蒸発ガスは、ケース本体３の隙間や放熱孔等の通気口からケース体３の外部へ漏出する。しかし、その漏出量は、人が目視しにくいほど、極めて少ないものである。そして、略密閉された空間９に停留している蒸発ガスは、ウレタン樹脂４や絶縁シート３３，３４などに衝突や接触して冷却され、結露して液化状態になる。蒸発ガスは、時間の経過とともに液化され、やがて消滅する。  
【００７６】
上述したように、電解コンデンサ６の圧力弁２５が破壊（作動）し、電解液の蒸発ガスが噴出しても、蒸発ガスが略密閉された空間９に停留し、ケース体３の内部を介してケース体３の外部に漏出するガス量が人に視認しにくいほど極めて少ないので、人が漏出した蒸発ガスを発煙と誤認することが防止され、消防署への通報による消防車の出動や人による火災報知機の作動などの人的トラブルを防止することができる。  
【００７７】
また、ケース体３の内部に形成した略密閉した空間９は、ウレタン樹脂４を用いて回路基板２の一面（表面）２ａ側、発熱部品としてのインダクタ７，８およびケース体３との間で形成されるので、回路基板２を大型化することなく既存の回路基板２の大きさで形成することができ、これにより、電気機器１のコスト上昇を抑制することができる。  
【００７８】
なお、樹脂は、ウレタン樹脂を用いたが、これに限らず、電気絶縁性、耐熱性および伝熱性を有し、蒸発ガスの圧力で破壊しない程度に固化するものであればよい。また、発熱部品としてインダクタ７，８を用いたが、これに限らず、トランス１８、電界効果トランジスタＱ１〜Ｑ３や抵抗素子Ｒ１，Ｒ２などの他の発熱部品であってもよい。
【実施例２】
【００７９】
図６は、本発明の実施例２を示す電気機器の概略縦断面図である。なお、図３と同一部分には、同一符号を付して説明は省略する。  
【００８０】
図６に示す電気機器４１は、図３に示す電気機器１において、カバー側の絶縁シート３４に複数の孔４２が設けられている。この孔４２は、発熱部品としてのインダクタ７，８に塗布されたウレタン樹脂４の部位に設けられている。孔４２は、例えば丸形や正四角形に形成されており、この孔４２を介してウレタン樹脂４が外方へ漏出してケース体３のカバーケース３２の内面に接触することのできる大きさに形成されている。  
【００８１】
カバー側の絶縁シート３４は、インダクタ７，８に塗布されたウレタン樹脂４が固化する前に、回路基板２の長手方向に亘って点灯回路部品５およびウレタン樹脂４を覆うように配設される。このとき、ウレタン樹脂４は、その一部が絶縁シート３４の孔４２から外方へ漏れ出し、カバーケース３２の内面に接触する。そして、ウレタン樹脂４が固化すると、孔４２から漏出したウレタン樹脂４の部分がカバーケース３２の内面に密着する。また、カバー側の絶縁シート３４は、固化したウレタン樹脂４により、カバーケース３２の内面側に固定される。  
【００８２】
また、電気機器４１は、回路基板２とベースケース３１の底面部３１ｂとの間にウレタン樹脂４ａが充填されている。このウレタン樹脂４ａは、インダクタ７，８が実装されている回路基板２の一面（表面）２ａの部位と反対側の他面（裏面）２ｂの部位と、ベースケース３１の内面に沿って配設されているベース側の絶縁シート３３との間に設けられている。そして、絶縁シート３３のウレタン樹脂４ａが設けられている部位には、孔４３が設けられている。この孔４３は、例えば丸形や正四角形に形成され、カバー側の絶縁シート３４の孔４２よりも大きく形成されている。  
【００８３】
ウレタン樹脂４ａは、ケース体３のベースケース３１の内面に沿ってベース側の絶縁シート３３が配設された後に、絶縁シート３３に塗布される。このとき、ウレタン樹脂４ａは、その一部が絶縁シート３３の孔４３から漏れ出し、ベースケース３１の底面部３１ｂの内面に接触する。そして、ウレタン樹脂４ａが固化する前に、ベースケース３１の凸部３５，３５に点灯回路部品５を実装した回路基板２が載置される。ウレタン樹脂４ａは、回路基板２の他面（裏面）２ｂに接触して、回路基板２および絶縁シート３３の間に介在する。  
【００８４】
そして、ウレタン樹脂４ａが固化すると、ウレタン樹脂４ａは、回路基板２の他面（裏面）２ｂに密着するとともに、絶縁シート３３の孔４３から漏出したウレタン樹脂４ａの部分がベースケース３１の底面部３１ｂの内面に密着する。また、ベース側の絶縁シート３３は、固化したウレタン樹脂４，４ａにより、ベースケース３１の内面側に固定される。  
【００８５】
ベース側の絶縁シート３３およびカバー側の絶縁シート３４は、ウレタン樹脂４，４ａによりケース体３の内側に固定されているとともに、回路基板２の長手方向に亘って回路基板２、点灯回路部品５およびウレタン樹脂４，４ａを覆っている。また、回路基板２は、ベースケース３１の凸部３５およびカバーケース３２の爪部３７に加えて、固化したウレタン樹脂４，４ａによっても固定される。  
【００８６】
次に、本発明の実施例２の作用について述べる。  
【００８７】
電気機器４１に商用交流電源Ｖｓが投入されると、点灯回路１０が動作し、点灯回路部品５が発熱する。そして、インダクタ７，８などの発熱部品は、その発熱量が他の点灯回路部品よりも大きく、急速に温度上昇する。  
【００８８】
インダクタ７，８は、耐熱性および伝熱性を有するウレタン樹脂４に接触し、ウレタン樹脂４は、カバー側の絶縁シート３４に設けられた複数の孔４１から漏出してケース体３のカバーケース３２の内面に接触しているので、インダクタ７，８に発生した熱は、ウレタン樹脂４に迅速に伝熱され、ウレタン樹脂４からカバーケース３２に迅速に伝熱される。カバーケース３２に伝熱された熱は、カバーケース３２の外部に放出される。  
【００８９】
また、インダクタ７，８に発生した熱は、回路基板２に伝熱される。回路基板２は、耐熱性および伝熱性を有するウレタン樹脂４ａに接触し、ウレタン樹脂４ａは、ベース側の絶縁シート３３に設けられた孔４３から漏出してケース体３のベースケース３１の底面部３１ｂの内面に接触しているので、回路基板２に伝熱した熱は、ウレタン樹脂４ａに迅速に伝熱され、ウレタン樹脂４ａからベースケース３１に迅速に伝熱される。ベースケース３１に伝熱された熱は、ベースケース３１の外部に放出される。  
【００９０】
このように、インダクタ７，８に発生した熱は、耐熱性および伝熱性を有するウレタン樹脂４，４ａにより、迅速にケース体３に伝熱されて、ケース体３の外部に放出される。この結果、インダクタ７，８の温度上昇が抑制される。したがって、電気機器４１は、インダクタ７，８の短寿命化を防止することができて、品質および信頼性を向上させることができる。  
【００９１】
そして、点灯回路部品５の電解コンデンサ６に過電圧が加わった場合や電解コンデンサ６が寿命末期となった場合においては、電解液の蒸発ガスが煙状となって略密閉された空間９に噴出する。ここで、カバー側の絶縁シート３４に設けられた孔４２は、ウレタン樹脂４の部位に設けられ、ウレタン樹脂４が漏出してウレタン樹脂４により閉塞されているので、略密閉された空間９に噴出した蒸発ガスは、前記孔４２から漏れにくい。したがって、電気機器４１は、電解コンデンサ６から噴出した蒸発ガスを回路基板２、インダクタ７，８、ウレタン樹脂４および絶縁シート３３，３４により形成される略密閉された空間９に停留させることができる。  
【００９２】
そして、絶縁シート３３，３４は、ウレタン樹脂４，４ａによりケース体３内に固定されるので、回路基板２の長手方向に亘って、回路基板２および回路基板２に実装された点灯回路部品５を確実に覆うものである。そして、放熱のために絶縁シート３３，３４に孔４２，４３を設けても、孔４２，４３が電気絶縁性に優れたウレタ樹脂４，４ａによって塞がれるので、絶縁シート３３，３４の電気絶縁性が損なわれることが無い。これにより、回路基板２および点灯回路部品５と金属製のケース体３との絶縁距離を小さくすることができるので、回路基板２の大型化を防止することができて、電気機器４１を小型化することができる。  
【００９３】
なお、図６において、回路基板２の他面（裏面）２ｂに電界効果トランジスタＱ１〜Ｑ３などの発熱部品を実装し、この発熱部品を覆うようにしてウレタン樹脂４ａを回路基板２および絶縁シート３３の間に設けてもよい。当該発熱部品に発生した熱は、ウレタン樹脂４ａにより迅速にベースケース３１の底面部３１ｂに伝熱されてベースケース３１の外部に放出されるので、当該発熱部品の温度上昇を抑制することができて、当該発熱部品の長寿命化することができる。
【実施例３】
【００９４】
図７は、本発明の実施例３を示す照明装置の概略斜視図である。なお、図１および図５と同一部分には、同一符号を付して説明は省略する。  
【００９５】
照明装置４４は、天井面に埋め込まれて設置される埋込形の照明器具であり、略箱状に形成された器具本体４５の長手方向の両端にソケット４６が取り付けられており、このソケット４６に照明用ランプとしての直管形蛍光ランプ１５，１６が装着されている。蛍光ランプ１５，１６を点灯する電気機器１は、器具本体４５の上面に設けたボックス４７内に配設されている。  
【００９６】
照明装置４４は、電気機器１の電解コンデンサ６が寿命末期となって電解液の蒸発ガスが噴出しても、器具本体４５やボックス４７から漏出する蒸発ガスが人に目視しにくい程度の少ないガス量であるので、人が蒸発ガスを発煙と誤認することを防止することができる。
【産業上の利用可能性】
【００９７】
本発明の電機機器は、放電ランプ用点灯装置の他、モータを駆動させる駆動装置、定電流や定電圧を出力する電源装置などに用いることができる。
【符号の説明】
【００９８】
１，４１…電気機器としての点灯装置、  ２…回路基板、  ３…ケース体、  ４，４ａ…樹脂としてのウレタン樹脂、  ５…回路部品としての点灯回路部品、  ６…電解コンデンサ、  ７，８…発熱部品としてのインダクタ、  １５，１６…照明用ランプとしての蛍光ランプ、  ３３，３４…絶縁シート、  ４２，４３…孔、  ４４…照明装置としての照明器具、  ４５…器具本体
【図１】
2010153355.tif 000003
【図２】
2010153355.tif 000004
【図３】
2010153355.tif 000005
【図４】
2010153355.tif 000006
【図５】
2010153355.tif 000007
【図６】
2010153355.tif 000008
【図７】
2010153355.tif 000009